(57)【要約】  異なる測定値の一体化された／機能的な検出のためのシステムが説明される。システムは、車両のドライバーによって着用可能なパーツ（２００）と；ウェアラブル・パーツ（２００）の中に一体化された複数のセンサー（１０１〜１０６）であって、複数のセンサー（１０１〜１０６）は、以下のドライバー・パラメーター：呼吸パラメーター、心臓パラメーター、発汗パラメーター、および、車両ドライビング・ホイールに働かされる圧力のパラメーターを供給するように構成されている、複数のセンサー（１０１〜１０６）と；前記ドライバー・パラメーターを処理するための、および、ドライバー・パラメーターをドライバーの心理物理学的な状態に相関付けるためのプロセッサー（３０６）とを含む。
2021516598.tif 000002
【特許請求の範囲】
【請求項１】
複数の測定値の一体化された／機能的な検出のためのシステムであって、前記システムは、
ａ）  車両のドライバーによって着用可能なパーツ（２００）と；
ｂ）  前記ウェアラブル・パーツ（２００）の中に一体化された複数のセンサー（１０１〜１０６）であって、前記複数のセンサー（１０１〜１０６）は、以下のドライバー・パラメーター：呼吸パラメーター、心臓パラメーター、発汗パラメーター、および、車両ドライビング・ホイールに働かされる圧力のパラメーターを供給するように構成されている、複数のセンサー（１０１〜１０６）と；
ｃ）  前記ドライバー・パラメーターを処理するための、および、前記ドライバー・パラメーターを前記ドライバーの心理物理学的な状態に相関付けるためのプロセッサー（３０６）と
を含む、システム。
【請求項２】
前記ドライバー・ウェアラブル・パーツ（２００）は、アンダーシャツ／下着（２０１）および２つのグローブ（２０２）から構成されている、請求項１に記載のシステム。
【請求項３】
前記複数のセンサーは、
前記下着（２０１）の内部パーツに縫い込まれた胸椎バンドの中に挿入されている呼吸速度センサー（１０１）と；
たとえば前記フォトプレスチモグラフィー技法を使用する、光学式心拍数センサータイプの心拍数センサー（１０２）と；
前記下着（２０１）の内側に縫い込まれたテキスタイル電極を備えたＥＣＧセンサー（１０６）と
を含む、請求項２に記載のシステム。
【請求項４】
前記複数のセンサーは、前記ドライバーの皮膚のガルバニック反応（ＧＳＲ）を測定することによって、前記皮膚の電気インピーダンスおよび発汗を検出するためのセンサー（１０３）を含む、請求項２に記載のシステム。
【請求項５】
前記複数のセンサー（２０４）は、前記ドライバーの手の掌および指の上の前記グローブ（２０２）の内側に挿入された複数の圧力センサーを含む、少なくとも請求項２に記載のシステム。
【請求項６】
前記システムは、少なくとも１つのデジタルタイプ体温センサー（１０５）をさらに含み、前記少なくとも１つのデジタルタイプ体温センサー（１０５）は、外部熱流に対抗するサーマル・シールドを伴って前記下着（２０１）に固定されており、電圧変動から皮膚温度についての測定値を取得することを可能にするようになっている、少なくとも請求項２に記載のシステム。
【請求項７】
前記システムは、前記アンダーシャツ／下着（２０１）の内側または外側に挿入されたＧＰＳモジュールをさらに含む、少なくとも請求項２に記載のシステム。
【請求項８】
前記システムは、トレーニング、テスト、資格入札、レースなどのような、実施される活動の間に起こり得る異なる条件／状況の下で、前記状態、心理物理学的な反応を理解するために、ドライバー・パラメーター、前記ＧＰＳによって提供される位置、および、機内標準テレメトリーのデータを処理するためのソフトウェア・モジュールをさらに含む、請求項７に記載のシステム。
【請求項９】
前記システムは、前記発汗の絶対的な大きさの他に、電気分解および解糖の前記一体化された検出を提供するように構成されており、検出されるべき活動に関して必要とされる栄養補助食品を適切に決定するようになっている、少なくとも請求項４に記載のシステム。
【請求項１０】
前記システムは、
・  前記複数のセンサー（１０１〜１０６）に接続されている、信号を調整するための回路（３０１）と；
・  前記調整回路（３０１）に接続されているアナログ／デジタル・コンバーター（３０２）と；
・  Ｂｌｕｅｔｏｏｔｈ／ラジオ周波数（ＲＦ）タイプの前記アナログ／デジタル・コンバーター（３０２）に接続されているトランスミッター（３０３）と；
・  前記トランスミッター（３０３）から信号を受信するためのレシーバー（３０４）と；
・  前記レシーバー（３０４）に接続されているコンピューター・インターフェース（３０５）と
をさらに含み、
ｄ）  前記プロセッサー（３０６）は、前記ドライバー・パラメーターを処理し、ドライバーの心理物理学的な状態を示すドライバー・ストレス・インデックスを提供するようになっている、請求項１に記載のシステム。
【請求項１１】
前記プロセッサーは、加重平均にしたがって前記ドライバー・パラメーターを処理することによって、前記ドライバー・ストレス・インデックスを計算するように構成されている、請求項１０に記載のシステム。
【請求項１２】
前記発汗パラメーターは、前記皮膚ガルバニック反応に関連付けられる相動的成分を考慮している、請求項４および請求項１０に記載のシステム。
【発明の詳細な説明】
【技術分野】
【０００１】
本発明は、人間テレメトリーの分野に関する。
【背景技術】
【０００２】
スポーツ競技大会の文脈において、人間テレメトリーは、比較的に新しい分野であり、それは、人間の活動に関する物理的な大きさを遠隔から測定するためのより全体的な分野において成長している。とりわけ、カー・レーシングを参照すると、それは、ドライバーの心理物理学的な状態に関係付けられ得るドライバーの生物力学的なパラメーターを獲得し、貯蔵し、および、遠隔から送信する方式に関係付けられ、ドライバーの挙動、診断、および安全に関する有用な情報を取得するようになっている。
【０００３】
Ｋａｔｓｉｓ  Ｃ．  Ｄ．  ｅｔ  ａｌ．  ｉｎ  “Ｔｏｗａｒｄ  Ｅｍｏｔｉｏｎ  ｒｅｃｏｇｎｉｔｉｏｎ  ｉｎ  Ｃａｒ−Ｒａｃｉｎｇ  Ｄｒｉｖｅｒｓ：  ｂｉｏｓｉｇｎａｌ  Ｐｒｏｃｅｓｓｉｎｇ  ａｐｐｒｏａｃｈ”，  ＩＥＥ  Ｔｒａｎｓａｃｔｉｏｎｓ  ｏｎ  Ｓｙｓｔｅｍｓ，  Ｍａｎ  ａｎｄ  Ｃｙｂｅｒｎｅｔｉｃｓ．  Ｐａｒｔ  Ａ：  Ｓｙｓｔｅｍｓ  ａｎｄ  Ｈｕｍａｎｓ，  ＩＥＥＥ  Ｓｅｒｖｉｃｅ  Ｃｅｎｔｅｒ，  Ｐｉｓｃａｔａｗａｙ，  ＮＪ，  ＵＳ，  ｖｏｌ．  ３８，  ｎｏ．  ３；  ０１／０５／２００８，  ｐａｇｅｓ  ５０２−５１２，  ＸＰ０１１２２６３５４は、カー・レースにおけるドライバーの感情的な状態を推定するためのシステムを説明している。
【０００４】
文献ＥＰ−Ａ−３０１５０５５は、車両ドライバーの心理的パラメーターをモニタリングするためのシステムを説明している。
【０００５】
本出願人は、車両ドライバーに適用される公知のタイプ人間テレメトリー・システムが、ドライバーの心理物理学的な状態を決定する際に満足のいくものではないということを観察した。
【発明の概要】
【０００６】
本発明の目的は、先行技術の不利益を克服する改善された「ウェアラブル」人間テレメトリー・システムを提供することから構成されている。
【０００７】
本発明は、レーシングから安全領域までの自動車分野に適用され得る。
【０００８】
システムの主な使用の１つは、ドライバーがトレーニングまたはレースをするときに、モーター・スポーツ・ドライバーの物理的なパラメーターをモニタリングすることからなる。システムの安全オプティクスの中のさらなる用途は、ドライバー・トレーニング・センターの中のそのようなシステムの広範な使用に関係付けられる可能性がある。
【０００９】
そのうえ、本発明は、例によれば、取得された実験結果についての分析的な数値検討を含み、それは、ウェアラブル・センサーによって獲得されるデータを、機内標準テレメトリーからのデータに相関付けるのに有用である。そのような検討に基づいて、ドライバーの現在の状態および車両の機械的な性能の両方を考慮することによって、異なるドライビング条件の下でドライバー挙動を最適化すること、および、レーシング戦略をより良好に推定することが可能であることとなる。
【００１０】
ドライバーの心理物理学的な状態により関係付けられるドライバー・パラメーターについての予備的な分析によって、図１に示されているように、センシングされるべき以下の大きさが選択された：呼吸速度、心拍数およびＥＣＧ、皮膚の電気インピーダンスおよび発汗、ドライビング・ホイールにかかる圧力。加えて、トラックの上の位置が、有利には、ＧＰＳ技法によってセンシングされる。
【００１１】
本発明の目的は、請求項１に定義されているような、および、従属請求項に定義されているその好適な実施形態によって定義されているような、複数の測定値の一体化された／機能的な検出のためのシステムを提供することである。
【００１２】
本発明の構造的なおよび動作的な特質は、以下の詳細な説明からより良好に理解され得り、以下の詳細な説明において、そのいくつかの好適な非限定的な実施形態を表す添付の図面が参照されている。
【図面の簡単な説明】
【００１３】
【図１】本発明によるテレメトリー・システムを例示的に示しており、システム自身によって取得可能なパラメーターを示す図である。
【図２】テレメトリー・システムによって使用される複数のセンサーを例示的に示す図である。
【図３】センサーからの信号を処理および送信するための回路を例示的に示す図である。
【図４】処理および送信回路によって送信されたパラメーターを受信するように適合されているレシーバーおよびパーソナル・コンピューターを例示的に示す図である。
【図５】検出可能なパラメーターの相関関係処理を概略的に示す図である。
【発明を実施するための形態】
【００１４】
テレメトリー・システム（全体的に図１から図５に示されている）は、下着／（場合によっては、耐火性の）アンダーシャツ２０１および２つのグローブ２０２によって形成される２つのパーツを有するウェアラブル・パーツ２００を含み、それは、ドライバーの通常の活動と干渉しないために小型化されたデバイスによって適切に機器を装備されている。
【００１５】
とりわけ図１および図２を参照すると、テレメトリー・システムに関して使用されるセンサーの選択が説明されている。
【００１６】
呼吸速度：  決定された時間範囲の中の呼吸行為の数（呼吸速度）を測定することが、圧電式ウェアラブル・センサー１０１によって行われ、圧電式ウェアラブル・センサー１０１は、下着２０１の内部パーツに縫い込まれた胸椎バンドの中に挿入されている。
【００１７】
心拍数およびＥＣＧ：  心拍数は、フォトプレスチモグラフィー技法（ＰＰＧ）または同様のものを使用して、光学式心拍センサー１０２（Ｐｕｌｓｅ  Ｓｅｎｓｏｒ  Ａｍｐｅｄ）によって測定される。センサー１０２は、身体の最も血管の発達したパーツの中に設置されなければならない。ＥＣＧは、テキスタイル電極１０６を提供されたセンサーを使用することによってセンシングされ、テキスタイル電極１０６は、耐火性の下着２０１の内側に縫い込まれており、ドライバー胸部に接触して緊密に位置決めされている。
【００１８】
呼吸速度は、心拍数によって推定され得るということが観察される。
【００１９】
皮膚の電気インピーダンスおよび発汗：  皮膚の電気インピーダンスおよび発汗をセンシングすることは、Ｇａｌｖａｎｉｃ  Ｓｋｉｎ  Ｒｅｓｐｏｎｓｅ（ＧＳＲ）を測定することによって行われ、Ｇａｌｖａｎｉｃ  Ｓｋｉｎ  Ｒｅｓｐｏｎｓｅ（ＧＳＲ）は、ストレスおよび／または発汗を発生させる事象に起因するこの皮膚の電気特性の変化として定義される。小型センサーＧＳＲ１０３が、ドライバー下着２０１のカフスの中に挿入され得る。
【００２０】
Ｇａｌｖａｎｉｃ  Ｓｋｉｎ  Ｒｅｓｐｏｎｓｅ（ＧＳＲ）（いくつかの皮膚電気反応のうちの１つとして定義される）は、人体の発汗変動によって引き起こされる皮膚の電気的特質（たとえば、コンダクタンス）の連続的な変動の測定を表している。ＧＳＲ分析に関する従来の仮定は、皮膚抵抗が皮膚汗腺の関数として変化するという仮説に基づいている。人体発汗は、自律神経系（ＡＮＳ）によって調節される；とりわけ、自律神経系の交感神経枝（ＳＮＳ）が高度に励起されるときには、結果的に、皮膚汗腺の活動が増加し、そして、それは、皮膚コンダクタンスを増加させ、その逆もまた同様である。したがって、皮膚コンダクタンスは、交感神経系反応の尺度であることが可能である。人間の中のこの系は、感情的な挙動の調節の中に直接的に暗示される。
【００２１】
人間の皮膚は、良好な電気伝導体であり、低い電流が皮膚に供給されているときには、伝導度変化が測定され得る。コンダクタンスは、２つの成分によって特徴付けられる：持続的（ｔｏｎｉｃ）および相動的（ｐｈａｓｉｃ）。
【００２２】
持続的成分は、ＧＳＲ信号の遅い変動（１０分の数秒から数分）の原因である。ＧＳＲ信号の中において、持続的レベルは、一般的に、背景活動レベルであると考えられ、急速なＧＳＲ反応がその上部に現れる。持続的レベルは、皮膚電気抵抗の絶対的な値を表しており、生物の神経系の全体的な活性化状態のインデックスである。それは、人が休息してリラックスしている場合にはより高くなり、対照的に、人が疲れて神経質になっている場合には、それは、皮膚発汗を増加させ、皮膚電気抵抗を低下させる。
【００２３】
相動的成分は、皮膚コンダクタンス反応として知られるＧＳＲ信号の比較的に急速な変動（数秒のオーダー）の原因であり、純粋に感情的で感覚的な活動によって引き起こされる、ＧＳＲ信号の中に観察される急速な変動またはピークを表している。本説明によれば、少なくとも相動的成分が提供される。
【００２４】
ドライビング・ホイールに働かされる圧力：  ドライビング・ホイールの上のグリップは、伸縮計のタイプのいくつかの圧力センサー１０４または同様のものを（掌および指の上の）ドライバーのグローブ２０２の内側に挿入することによって検出される。
【００２５】
トラックの中の位置：  トラックの中の車の位置は、ＧＰＳモジュールによって検出され、ＧＰＳモジュールは、少なくとも３０Ｈｚの獲得周波数を有しており、スーツの内側にまたは乗客コンパートメントの中に挿入されている。
【００２６】
体温：  ウェアラブル・デバイスによって体温を測定することは、多くの異なる方式で行われ得る。デジタル温度センサー１０５が提供されており、デジタル温度センサー１０５は、外部熱流に対抗するサーマル・シールドを伴って下着２０１に適切に固定されており、電圧変動から皮膚温度測定値を取得することを可能にする。
【００２７】
そのうえ、例によれば、システムは、発汗の絶対的な大きさの他に、電気分解および解糖の一体化された検出を提供するように構成されており、検出の活動対象に関して必要とされる栄養補助食品の適合された決定を得るようになっている。
【００２８】
とりわけ、システムは、グルコースを検出およびモニタリングするための装置を提供され得る。
【００２９】
半連続的な方式でグルコース濃度を測定する（連続的なグルコース・モニタリング、ＣＧＭ）ためのウェアラブル・デバイスが知られている。とりわけ、ＣＧＭデバイスは、最小侵襲性デバイスおよび非侵襲性デバイス（依然として実験中である）の中に分類される。
【００３０】
現在市場にある最小侵襲性デバイスは、間質液の中で入手可能なグルコース濃度に比例する電流信号を測定するために小さい針を使用し、針は、通常、皮下組織の中に挿入される。ＣＧＭセンサーは、たとえば、Ｄｅｘｃｏｍ，Ｍｅｄｔｒｏｎｉｃ，Ａｂｂｏｔ，Ｓｅｎｓｅｏｎｉｃｓによって市販されている。
【００３１】
物理的活動（骨格筋の使用に関係付けられる）は、休息している人間に必要とされるものよりも大きいエネルギー入力を必要とするということが観察される。しかし、有酸素の物理的活動：たとえば長距離レースなどにおいて、筋線維の中程度の収縮速度を伴う連続的な繰り返しの動きを伴う活動、無酸素の物理的活動：たとえばモーター・スポーツ・レースなどにおいて、筋肉線維の高い収縮速度によって特徴付けられる非常に強烈な活動の間を区別することが必要とされる。
【００３２】
有酸素の物理的活動において、筋肉のエネルギー消費が実質的に増加する可能性があるとしても、血糖値は変化しない。
【００３３】
無酸素の活動において、無酸素の解糖、換言すれば、酸素なしの高速エネルギー生産が存在している。その理由は、エピネフリンが重要な役割を有するからである。その結果は、血糖低下作用である。その理由は、筋肉細胞に放出されるグルコースの量が増加させられ、血液に放出される量がそれに対応して低減されるからである。レース・トライアル直前の基礎血糖値が低すぎる場合には、恐らく、ドライバーは、場合によっては、血糖低下発作に曝されることとなる。
【００３４】
たとえば、実験的なテストにおいて、モーター・スポーツ・ドライバーの血糖値が、レース・トライアルの間に記録された。そのような記録の間の基礎グルコース・レベルが公称値をすでに下回っていたということが観察された。レースの前にフルーツ・ジュースを飲むことが、レースの間のグルコース濃度損失を補償するのに十分な血糖増加につながり、このように、低過ぎる血糖値が防止された。
【００３５】
また、グルコース・レベルを測定することは、嫌気性代謝の存在下におけるエネルギー消費に相関付けられるということが観察される。一般的に、エネルギーは、脂肪と炭水化物の混合物によって提供される。しかし、無酸素のスポーツ活動において、筋肉および肝臓の中に主に見出される貯蔵糖類（グリコーゲン）を実質的に使用することによって取得されるＡＴＰ（アデノシン三リン酸）のようなエネルギーを生産するプロセスがトリガーされる。この情報および心拍数は、テーブルによって、使用されたエネルギー基質を評価することを可能にする。
【００３６】
図３を参照すると、すべてのセンサー１０１〜１０６（および、場合によっては、グルコース・センサー）は、ワイヤーおよび／またはワイヤレスによって、前処理−送信電子カード３００に接続されており、電子カード３００は、信号調整モジュール３０１および変換モジュール３０２を含み、変換モジュール３０２は、調製された信号のアナログ／デジタル変換を実施する。
【００３７】
そのうえ、前処理−送信電子カード３００は、送信モジュール３０３（ラジオ周波数および長距離、ならびに／またはＢｌｕｅｔｏｏｔｈモジュール）を含み、送信モジュール３０３は、電子カード３００自身の外側にデジタル・フォーマットでセンサー信号を送信するように構成されている。送信モジュール３０３に対する代替例として、または、送信モジュール３０３に加えて、電子カード３００は、適切な記憶デバイスを含むことが可能であるか、または、適切な記憶デバイスに接続され得り、記憶デバイスは、車両がピットに戻ったときにデータをダウンロードすることを可能にする。
【００３８】
有利には、システムは、サーキットの上のデータ位置決めのために適切なＧＰＳに接続されている。
【００３９】
前処理−送信電子カード３００は、たとえば、スーツ２０１の中に作製されたポケットの内側に設置されており、受信インターフェース・カード３１０にデジタル・フォーマット・センサー・データを送達するようになっており、受信インターフェース・カード３１０は、受信モジュール３０４（たとえば、長距離ＲＦモジュール）およびインターフェース・カード３０５を含み、たとえばパーソナル・コンピューター３０６などのような電子コンピューターを伴っている。
【００４０】
送信された信号は、ラジオ周波数受信モジュール３０４（パーソナル・コンピューター３０６に接続されている）によって獲得される。
【００４１】
システムは、取得されたデータを示すためのスクリーン表示ソフトウェア（図５）を含む。ドライビング・セッションの中で起こり得る異なる状況／状態におけるドライバーの心理物理学的な状態に性能を相関付ける手順は、人間−機内テレメトリー・データを獲得する方法から開発された（図５）。
【００４２】
とりわけ、性能およびドライバーの心理物理学的な状態を、説明されているパラメーター検出の間に車両によって辿られる経路またはサーキットに沿ったその位置に関連付けることが可能である。
【００４３】
とりわけ、ストレスは、少なくとも以下のパラメーターの加重平均を計算することによって評価される：発汗パラメーター、心臓パラメーター、ドライビング・ホイールに働かされる圧力に関するパラメーター、および、たとえば、また、呼吸パラメーター。有利には、ストレスは、センサーＧＳＲ１０３によって提供される信号から取得される、信号ＧＳＲの相動的成分を表す発汗パラメーターの上記に引用された加重平均を考慮に入れることによって評価される。そのうえ、そのような加重平均は、グルコースに関するパラメーターも考慮に入れる。
【００４４】
最後に、現在のセンサーおよびデバイスに供給するために必要とされるバッテリー（たとえば、再充電可能なＬｉＰｏバッテリー）が、スーツ２０１または車の内側に設置されている。
【図１】
2021516598.tif 000003
【図２】
2021516598.tif 000004
【図３】
2021516598.tif 000005
【図４】
2021516598.tif 000006
【図５】
2021516598.tif 000007
【国際調査報告】
2021516598.tif 000008
2021516598.tif 000009
2021516598.tif 000010